(57)【要約】【課題】カットシートフィーダを使用するとき、排紙トレイ上にカット紙を確実に揃えて積層することができ、かつ連続紙を使用するときに印字済み連続紙が排紙トレイ上を円滑に通過できるプリンタを得る。【解決手段】印字部の下流に位置させた排紙トレイを、該印字部で印字されたカット紙を受ける、紙送り方向前方が後方より高いカット紙積層支持位置と、同印字部で印字された連続紙を通過させる連続紙通過位置とに選択的に変位可能とし、この排紙トレイがカット紙積層支持位置にあるとき、紙送り経路上に突出して印字が終了したカット紙をその裏面に導く紙経路切替部材と、該紙経路切替部材の裏面に導かれたカット紙を排紙トレイ上に強制的に送る排紙ローラとを設けたプリンタ。【選択図】  図１
2005074706.tif 000002
【特許請求の範囲】
【請求項１】
カット紙を印字ヘッドとプラテンとの間の印字部へ自動給紙するカットシートフィーダと、連続紙を上記印字部へ送る連続紙送り手段とを有し、上記カットシートフィーダ及び連続紙送り手段により給紙されるカット紙及び連続紙を選択的に使用して印字可能なプリンタにおいて、
上記印字部の下流に位置させた排紙トレイを、該印字部で印字されたカット紙を受ける、紙送り方向前方が後方より高いカット紙積層支持位置と、同印字部で印字された連続紙を通過させる連続紙通過位置とに選択的に変位可能とし、
この排紙トレイがカット紙積層支持位置にあるとき、紙送り経路上に突出して印字が終了したカット紙をその裏面に導く紙経路切替部材と、該紙経路切替部材の裏面に導かれたカット紙を排紙トレイ上に強制的に送る排紙ローラとを設けたことを特徴とするプリンタ。
【請求項２】
請求項１記載のプリンタにおいて、紙経路切替部材は、カット紙積層支持位置にある排紙トレイに押圧されて該経路切替部材の位置を連続紙通過位置からカット紙積層支持位置に変化させる切替板を一体に有しているプリンタ。
【請求項３】
請求項１または２記載のプリンタにおいて、排紙トレイをカット紙積層支持位置に変位させたときには、切替板は、該排紙トレイの後方端部に位置してカット紙の後端部を規制するプリンタ。
【請求項４】
請求項１ないし３のいずれか１項記載のプリンタにおいて、紙経路切替部材は排紙ローラと同軸に回動可能に設けられているプリンタ。
【請求項５】
請求項１ないし３のいずれか１項記載のプリンタにおいて、紙経路切替部材の裏面には、排紙ローラとカット紙との間に摩擦力を作用させるシートが支持されているプリンタ。
【請求項６】
請求項１ないし５のいずれか１項記載のプリンタにおいて、紙経路切替板と排紙ローラは、プリンタ本体に対して着脱可能な紙経路切替ユニットに設けられているプリンタ。
【請求項７】
請求項５記載のプリンタにおいて、プリンタ本体には、紙経路切替ユニットに替えて、連続紙を送るフロントトラクタが着脱可能であり、このフロントトラクタと上記紙経路切替ユニットの駆動系は、プリンタ本体内に共通に設けられているプリンタ。
【発明の詳細な説明】
【技術分野】
【０００１】
本発明は、手差しまたは自動給紙されるカット紙と、連続紙とを選択的に使用して印字可能なプリンタに関する。
【背景技術】
【０００２】
このようなプリンタは一般に、カット紙を印字ヘッドとプラテンとの間の印字部へ自動給紙するカットシートフィーダと、連続紙を同印字部へ送る連続紙送り手段（トラクタ）とを選択的に使用可能としている。排紙部の排紙トレイの位置は、カットシートフィーダを用いるときとトラクタを用いるときとで変更可能であり、カット紙は排紙トレイ上に積層され、連続紙は排紙トレイ上を単に通過していく。
【０００３】
【特許文献１】特開平８-１６９１４５号公報
【特許文献２】特許第２６０８８４３号
【発明の開示】
【発明が解決しようとする課題】
【０００４】
しかしながら従来装置では、排紙トレイがカット紙積層位置にあるとき、カット紙は自重で落下するのみで、案内の確実性にかけ、あるいは積層されるカット紙が不揃いになるという問題があった。
【０００５】
本発明は、以上の問題意識に基づき、カットシートフィーダを使用するときには、排紙トレイ上にカット紙を確実に揃えて積層することができ、かつ連続紙送り手段を使用するときには印字済み連続紙が排紙トレイ上を円滑に通過できるプリンタを得ることを目的とする。
【課題を解決するための手段】
【０００６】
本発明は、カット紙を印字ヘッドとプラテンとの間の印字部へ自動給紙するカットシートフィーダと、連続紙を上記印字部へ送る連続紙送り手段とを有し、上記カットシートフィーダ及び連続紙送り手段により給紙されるカット紙及び連続紙を選択的に使用して印字可能なプリンタにおいて、印字部の下流に位置させた排紙トレイを、該印字部で印字されたカット紙を受ける、紙送り方向前方が後方より高いカット紙積層支持位置と、同印字部で印字された連続紙を通過させる連続紙通過位置とに選択的に変位可能とし、この排紙トレイがカット紙積層支持位置にあるとき、紙送り経路上に突出して印字が終了したカット紙をその裏面に導く紙経路切替部材と、該紙経路切替部材の裏面に導かれたカット紙を排紙トレイ上に強制的に送る排紙ローラとを設けたことを特徴としている。
【０００７】
紙経路切替部材には、カット紙積層支持位置にある排紙トレイに押圧されて該経路切替部材の位置を連続紙通過位置からカット紙積層支持位置に変化させる切替板を一体に設けることが好ましい。この切替板は、排紙トレイをカット紙積層支持位置に変位させたときに、該排紙トレイの後方端部に位置してカット紙の後端部を規制する構成にできる。紙経路切替部材は排紙ローラと同軸に回動可能に設けることができる。
【０００８】
また、紙経路切替部材の裏面には、排紙ローラとカット紙との間に摩擦力を作用させるシートを設けることができる。
【０００９】
紙経路切替板と排紙ローラは、プリンタ本体に対して着脱可能な紙経路切替ユニットに設けることができる。この態様では、プリンタ本体に、紙経路切替ユニットに替えて、連続紙を送るフロントトラクタを着脱可能に設け、このフロントトラクタと紙経路切替ユニットの駆動系を、プリンタ本体内に共通に設けることができる。
【発明の効果】
【００１０】
本発明によれば、カットシートフィーダを用いるとき排紙トレイ上にカット紙を確実に揃えて積層することができ、かつ連続紙送り手段を使用するときには印字済み連続紙が排紙トレイ上を円滑に通過できるプリンタを得ることができる。
【発明を実施するための最良の形態】
【００１１】
図１ないし図３は本発明によるプリンタの異なる使用態様を示している。図１はカットシートフィーダ（ユニット）（以下ＣＳＦ）１０の使用によるカット紙印字態様、図２はリヤトラクタ（ユニット）２０の使用による連続紙印字態様（及び手差し印字態様）、図３はフロントトラクタ（ユニット）３０の使用による連続紙印字態様である。
【００１２】
ＣＳＦ１０とリヤトラクタ２０は、プリンタ本体４０の図１の右方（後方）に選択的に取り付けられる。プリンタ本体４０は、左右（紙面に垂直な方向）に離間した一対の側板（一方のみ図示）４１を有し、この一対の側板４１の後部にそれぞれ、ガイドピン４１ａ、４１ｂが固定されている。ＣＳＦ１０は、一対の側板４１に対応する一対の側板１１を有し、この側板１１にそれぞれ、ガイドピン４１ａ、４１ｂに係脱する保持溝１１ａ、１１ｂが形成されている。同様に、リヤトラクタ２０は、一対の側板４１に対応する一対の側板２１を有し、この側板２１に、ガイドピン４１ａ、４１ｂに係脱する保持溝２１ａ、２１ｂが形成されている。
【００１３】
ＣＳＦ１０は、図１に示すように、カット紙ＣＰを載せるホッパプレート１２と、ホッパプレート１２上に装填されたカット紙ＣＰを１枚ずつ下方へ取りだしてフィーダ出口１３からプリンタ内部へ送り出すピッキングローラ１４と、ホッパプレート１２をピッキングローラ１４側へ付勢するばね１５とを有する。ピッキングローラ１４は、左右の側板１１の間に支持されており、その一端部に同軸にギヤ１４ａを有している。ギヤ１４ａは、ＣＳＦ１０（側板１１）に支持されているギヤ１４ｂと噛み合っている。なお、図では、ギヤを破線で、ローラを実線で示し、ギヤとローラが同一径の場合は、ギヤとローラの両方の符号を付している。
【００１４】
リヤトラクタ２０は、図２に示すように、一対の側板２１の間に支持された連続紙送りローラ２２を有する。この連続紙送りローラ２２は、連続紙（ファンホールド紙）ＨＰの左右両側のパーフォレーションに噛み合うスプロケット（図示せず）を備え、その一端部には、ギヤ２２ａが同軸に設けられている。リヤトラクタ２０（側板２１）にはまた、連続紙ＨＰの上面に開閉可能に設けた抑え板２３、連続紙送りローラ２２と対をなす固定ガイド２４、及び軸２５ａを中心に起倒可能な断面円弧状連続紙ガイド２５が備えられている。
【００１５】
プリンタ本体４０の一対の側板４１の間には紙面に垂直なガイドバー４３が固定されており、このガイドバー４３に沿ってキャリッジ４４が移動可能に支持されている。キャリッジ４４には、印字ヘッド４４ａが搭載されており、この印字ヘッド４４ａの下方に左右方向に長いプラテン（ローラ）４５が位置している。印字ヘッド４４ａとプラテン４５によって印字部が構成される。印字ヘッド４４ａは、ドットプリンタ用、インクジェット用、サーマルヘッド用のいずれでもよく、本発明は印字部周りの構造を問わない。カット紙ＣＰ、連続紙ＨＰのいずれも、印字部での印刷が終了すると、図の左方に移動するので、図の左方を前方、右方を後方としている。
【００１６】
プリンタ本体４０内には、２つの紙送りモータ４６、４７が配置されている。紙送りモータ４６の出力軸に固定されたピニオン４６ａの回転は、ギヤ４６ｂ、４６ｃ、４６ｄ、４６ｅ、４６ｆ、４６ｇと伝達され、ギヤ４６ｇは、ＣＳＦ１０のギヤ１４ｂと、リヤトラクタ２０のギヤ２２ａとのいずれかに選択的に噛み合う。すなわち、ギヤ４６ｇは、プリンタ本体４０の後方にＣＳＦ１０が接続されたときにはギヤ１４ｂに噛み合い、リヤトラクタ２０が接続されたときにはギヤ２２ａに噛み合う。
【００１７】
ギヤ４６ｃは同時に、ギヤ４６ｈに噛み合っており、ギヤ４６ｈは、印字ヘッド４４ａの前方に位置する原動給紙ローラ４８と同軸のギヤ４８ａに噛み合っている。原動給紙ローラ４８の上方には、原動給紙ローラ４８と摩擦接触して連れ回りする従動給紙ローラ４８ｂが位置している。また、ギヤ４６ｈは、ギヤ４６ｉ、４６ｊ、４６ｋの順に噛み合い、ギヤ４６ｋは、プラテン４５と同軸のギヤ４５ａに噛み合っている。
【００１８】
以上の紙送りモータ４６の駆動系により、プリンタ本体４０にＣＳＦ１０が接続されているときには、紙送りモータ４６の回転がピッキングローラ１４、原動給紙ローラ４８及びプラテン４５に伝達され、ＣＳＦ１０上に支持されているカット紙ＣＰが印字ヘッド４４ａとプラテン４５の間の印字部に供給される。またプリンタ本体４０にリヤトラクタ２０が接続されているときには、紙送りモータ４６の回転がリヤトラクタ２０の連続紙送りローラ２２、原動給紙ローラ４８及びプラテン４５に伝達され、連続紙ＨＰが同印字部に供給される。
【００１９】
紙送りモータ４７の出力軸に固定されたピニオン４７ａの回転は、ギヤ４７ｂ、４７ｃ、４７ｄと伝達され、ギヤ４７ｄは、印字ヘッド４４ａの後方に位置する原動排紙ローラ４９と同軸のギヤ４９ａに噛み合っている。原動排紙ローラ４９の上方には、原動排紙ローラ４９と摩擦接触して連れ回りする従動給紙ローラ４９ｂが位置している。印字ヘッド４４ａとプラテン４５の間の印字部で印字されたカット紙ＣＰまたは連続紙ＨＰは、この原動排紙ローラ４９と従動排紙ローラ４９ｂによって前方に排紙される。プリンタ本体４０には、原動給紙ローラ４８、プラテン４５及び原動排紙ローラ４９上にカット紙ＣＰ及び連続紙ＨＰをガイドする（紙送り経路を構成する）ガイドプレート４０ａが設けられている。
【００２０】
紙送りモータ４７によって駆動されるギヤ４７ｃは同時に、ギヤ４７ｅと噛み合っており、ギヤ４７ｅの回転は、ギヤ４７ｆ、４７ｇ、４７ｈと伝達される。紙送りモータ４６と４７の回転方向は紙を図の右方から左方に送る方向を順方向とする。
【００２１】
プリンタ本体４０の図の左方（前方）には、左右一対の排紙トレイ支持プレート５０が設けられている。この排紙トレイ支持プレート５０は、紙経路切替ユニット６０（図１、図２）とフロントトラクタ３０（図３）とのいずれか一方を選択的に支持する。すなわち、一対の排紙トレイ支持プレート５０にはそれぞれ、ガイドピン５０ａ、５０ｂが固定されている。紙経路切替ユニット６０は、一対の排紙トレイ支持プレート５０に対応する一対の側板６１を有し、この側板６１にそれぞれ、ガイドピン５０ａ、５０ｂに係脱する保持溝６１ａ、６１ｂが形成されている。同様に、フロントトラクタ３０は、一対の排紙トレイ支持プレート５０に対応する一対の側板３１を有し、この側板３１にそれぞれ、ガイドピン５０ａ、５０ｂに係脱する保持溝３１ａ、３１ｂが形成されている。
【００２２】
一対の排紙トレイ支持プレート５０の間には、排紙トレイ５１が支持されている。この排紙トレイ５１は、左右の支持プレート５０の間に渡架した左右方向の揺動中心軸５２を中心に、カット紙積層支持位置（第１位置、図１）と連続紙通過位置（第２位置、図２、図３）のいずれかに選択支持されるもので、揺動中心軸５２に係合する弾性腕５１ａが設けられている。弾性腕５１ａは、排紙トレイ５１の揺動中心軸５２を中心とする揺動と、排紙トレイ５１の長手方向（載置通過面５１ｂと平行な方向）への若干の弾性移動を可能とする。この排紙トレイ５１の左右側板の後端部にはそれぞれ、係止溝５１ｃが形成されている。
【００２３】
一方、紙経路切替ユニット６０の一対の側板６１には、この係止溝５１ｃに係合して該排紙トレイ支持プレート５０をカット紙積層支持位置と連続紙通過位置とに選択的に支持する一対のガイドピン６１ｃ、６１ｄが固定されている。排紙トレイ５１の姿勢（位置）を変えるには、排紙トレイ５１を載置通過面５１ｂと平行な方向に引いて弾性腕５１ａを弾性変形させることで、係止溝５１ｃとガイドピン６１ｃ（６１ｄ）との係合を解き、次いで揺動中心軸５２を中心に揺動させて、同様に係止溝５１ｃをガイドピン６１ｄ（６１ｃ）に係合させればよい。ガイドピン６１ｃと６１ｄは、排紙トレイ支持プレート５０に設けてもよい。
【００２４】
また、一対の排紙トレイ支持プレート５０には、フロントトラクタ３０を取り付けたとき露出するガイドピン５０ｃが設けられている。このガイドピン５０ｃは、排紙トレイ５１の係止溝５１ｃに係合して該排紙トレイ５１を連続紙通過位置に保持する。一方、プレート５０には、同排紙トレイ５１をカット紙積層支持位置に保持するガイドピンは設けられていない。すなわち、排紙トレイ支持プレート５０にフロントトラクタ３０を取り付けるときに、排紙トレイ５１はカット紙積層支持位置に保持されることはない。ガイドピン５０ｃはフロントトラクタ３０（側板３１）に設けてもよい。
【００２５】
排紙トレイ５１のカット紙積層支持位置は、その載置通過面５１ｂの後方が前方より低くなる傾斜位置であり、連続紙通過位置は、その載置通過面５１ｂが略水平となる（ガイドプレート４０ａに滑らかに接続される）水平位置である。
【００２６】
紙経路切替ユニット６０は、図１、図２に示すように、プリンタ本体４０の前方（排紙トレイ支持プレート５０）に装着されたとき、紙送りモータ４７の駆動系の最終ギヤであるギヤ４７ｈに噛み合うギヤ６２ａを有し、このギヤ６２ａはギヤ６２ｂを介して排紙ローラ６３と同軸のギヤ６３ａに噛み合っている。排紙ローラ６３は、図６に示すように、左右の側板６１の支持孔６１ｅ間に渡らせた軸６３ｂに間隔をおいて設けられている。
【００２７】
紙経路切替ユニット６０の一対の側板６１の間には、図４ないし図６に詳細を示すように、軸６３ｂと同軸に、紙経路切替部材６４が揺動自在に支持されている。紙経路切替部材６４は同軸の切替板６４ａを有し、この切替板６４ａと紙経路切替部材６４は固定ピン（孔）６４ｃ（図６）で固定されている。すなわち、紙経路切替部材６４と切替板６４ａは軸６３ｂ（支持孔６１ｅ）を中心に常時一体に揺動する。なお、紙経路切替部材６４の軸と、排紙ローラ６３の軸とは異ならせてもよい。
【００２８】
切替板６４ａは、カット紙積層支持位置にある排紙トレイ５１の後端部によって押圧される押圧板部６４ａ１を有し、この押圧板部６４ａ１に、複数の排紙ローラ６３を通過（露出）させる逃げ孔６４ａ２が形成されている。また切替板６４ａには、軸６３ｂに関し押圧板部６４ａ１の反対側に、紙経路切替部材６４の裏面との間にカット紙をガイドするガイド板部６４ａ３が設けられている。
【００２９】
これに対し、紙経路切替部材６４にはその裏面（切替板６４ａ側の面）に、シート６４ｄが固定プレート６４ｅによって支持されている。シート６４ｂとしては、ポリカーボネートシート等の樹脂製シート、例えばマイラー（商品名）が適用可能である。シート６４ｄは、逃げ孔６４ａ２（排紙ローラ６３）を避けた摩擦舌片６４ｄ１を有する。固定プレート６４ｅは、摩擦舌片６４ｄ１とは逆に、逃げ孔６４ａ２内に位置する固定舌片６４ｅ１を有していて、摩擦舌片６４ｄ１をフリーにしている。排紙ローラ６３が紙送り方向に回転している状態で、紙経路切替部材６４の裏面と切替板６４ａのガイド板部６４ａ３との間にカット紙ＣＰが進入すると、シート６４ｄの摩擦舌片６４ｄ１がカット紙ＣＰと排紙ローラ６３の間に摩擦力を作用させ、該カット紙を確実に排紙方向（前方）に送られる。
【００３０】
切替板６４ａは、その押圧板部６４ａ１がカット紙積層支持位置にある排紙トレイ５１の後端部によって押圧されたときには、紙経路切替部材６４の後端導入部６４ｂ１をカット紙通過平面（ガイドプレート４０ａの延長面）から上方に突出させて、該紙経路切替部材６４の裏面にカット紙ＣＰを強制的に導入する作用をする（図１、図５）。一方、切替板６４ａの押圧板部６４ａ１が排紙トレイ５１の後端部によって押圧されないときには、自重または図示しない付勢手段により、その上面６４ｂ２がガイドプレート４０ａの延長面と同一面に位置する（図２、図４）。
【００３１】
フロントトラクタ３０は、リヤトラクタ２０と同様の構成を有する。すなわち、図３に示すように、左右一対の側板３１の間に連続紙送りローラ３２が支持されている。この連続紙送りローラ３２には、連続紙（ファンホールド紙）連続紙ＨＰの左右両側のパーフォレーションに噛み合うスプロケット（図示せず）を備え、その一端部には、該フロントトラクタ３０がプリンタ本体４０の前方（排紙トレイ支持プレート５０）に装着されたとき紙送りモータ４７の駆動系の最終ギヤであるギヤ４７ｈに噛み合うギヤ３２ａが同軸に設けられている。フロントトラクタ３０（３１）にはまた、連続紙ＨＰの上面に開閉可能に設けた抑え板３３、連続紙送りローラ３２と対をなす固定ガイド３４、及び軸３５ａを中心に起倒可能な断面円弧状連続紙ガイド３５が備えられている。
【００３２】
上記構成の本プリンタは次のように作動する。カット紙ＣＰを印刷するとき（カット紙印刷モードを選択するとき）には、プリンタ本体４０の後方にＣＳＦ１０を装着し、前方に紙経路切替ユニット６０を装着する。すなわち、一対の側板４１のガイドピン４１ａ、４１ｂに、ＣＳＦ１０の一対の側板１１の保持溝１１ａ、１１ｂを係合させ、一対の排紙トレイ支持プレート５０のガイドピン５０ａ、５０ｂに一対の側板６１の保持溝６１ａ、６１ｂを係合させる。すると、ＣＳＦ１０のギヤ１４ｂが紙送りモータ４６の駆動系の最終ギヤ４６ｇに噛み合い、紙経路切替ユニット６０のギヤ６２ａが紙送りモータ４７の駆動系の最終ギヤ４７ｈに噛み合う。
【００３３】
この状態において、排紙トレイ５１を揺動中心軸５２を中心にカット紙積層支持位置に回動させ、その係止溝５１ｃをガイドピン６１ｃに係合させる。すると、排紙トレイ５１の後端部が切替板６４ａの押圧板部６４ａ１を押圧して、紙経路切替部材６４の後端導入部６４ｂ１をカット紙通過平面（ガイドプレート４０ａの延長面）から上方に突出させる。押圧板部６４ａ１は排紙トレイ５１の後端部に位置してカット紙ＣＰの後端位置を規制する（図１、図５）。
【００３４】
このカット紙印刷モードにおいて、紙送りモータ４６、４７を正方向に駆動すると、ピッキングローラ１４、原動給紙ローラ４８（従動給紙ローラ４８ａ）により、ＣＳＦ１０内のカット紙ＣＰが印字ヘッド４４ａの間の印字部に送られ、印字の終了したカット紙ＣＰが原動排紙ローラ４９（従動排紙ローラ４９ｂ）により紙経路切替ユニット６０に送られる。
【００３５】
同ユニット６０の紙経路切替部材６４は、上述のようにその後端導入部６４ｂ１がカット紙通過経路上に突出しているので、カット紙ＣＰは強制的に紙経路切替部材６４の裏面に導かれ、紙送りモータ４７の駆動系で排紙方向に回転駆動されている排紙ローラ６３とシート６４ｄによって確実に排紙トレイ５１上に排出される。排出されたカット紙ＣＰの後端部は切替板６４ａによって規制される。
【００３６】
連続紙ＨＰを印刷するとき（連続紙印刷モードを選択したとき）には、ＣＳＦ１０に代えて、リヤトラクタ２０を取り付け、排紙トレイ５１を連続紙通過位置にする（図２）。すなわち、リヤトラクタ２０の保持溝２１ａ、２１ｂをガイドピン４２ａ、４２ｂに係合させ、排紙トレイ５１の係止溝５１ｃをガイドピン６１ｄに係合させる。この状態では、排紙トレイ５１が切替板６４ａの押圧板部６４ａ１を押圧しないので、紙経路切替部材６４の上面６４ｂ２がガイドプレート４０ａの延長面と同一面に位置する。この連続紙印刷モードで印刷を実行すると、連続紙ＨＰは、正方向に駆動される紙送りモータ４６、４７によって駆動される連続紙送りローラ２２、原動給紙ローラ４８（従動給紙ローラ４８ａ）により、印字ヘッド４４ａの間の印字部に送られ、印字終了後、原動排紙ローラ４９（従動排紙ローラ４９ｂ）により排紙トレイ５１上を通過する。
【００３７】
図２の状態では、手差し印刷モードが選択可能である。手差し印刷モードでは、排紙トレイ５１側からカット紙を挿入する。すると、原動排紙ローラ４９、原動給紙ローラ４８が逆転してカット紙を一旦印字部の後方に導き、その後両ローラが正転して通常のカット紙印刷動作により印刷が終了したカット紙を排紙トレイ５１上に戻す。
【００３８】
図３は、フロントトラクタ３０による連続紙印刷状態を示している。この状態では、リヤトラクタ２０を取り外すとともに、排紙トレイ支持プレート５０に、紙経路切替ユニット６０に代えてフロントトラクタ３０を支持する。すなわち、フロントトラクタ３０の側板３１の保持溝３１ａ、３１をガイドピン５０ａ、５０ｂに係合させる。すると、連続紙送りローラ３２のギヤ３２ａが紙送りモータ４７の駆動系の最終ギヤ４７ｈに噛み合う。排紙トレイ５１は、連続紙通過位置にある。
【００３９】
このフロントトラクタ３０による印刷モードでは、紙送りモータ４６、４７が逆転し、以上で説明した各印刷モードとは逆方向に連続紙が送られ、印字部で印刷が実行される。
【図面の簡単な説明】
【００４０】
【図１】本発明のプリンタにカットシートフィーダを装着したカット紙印字態様の縦断面図である。
【図２】本発明のプリンタにリヤトラクタユニットを装着した連続紙印字態様（及び手差し印字態様）の縦断面図である。
【図３】本発明のプリンタにフロントトラクタを装着した連続紙印字態様の縦断面図である。
【図４】カットシートフィーダ装着時の排紙トレイ側の拡大断面図である。
【図５】リヤトラクタ装着時の排紙トレイ側の拡大断面図である。
【図６】排紙トレイ側の紙経路切替部材回りの分解斜視図である。
【符号の説明】
【００４１】
ＣＰ  カット紙
ＨＰ  連続紙
１０  カットシートフィーダ（ＣＳＦ）
１１  側板
１４  ピッキングローラ
２０  リヤトラクタ
２１  側板
２１ａ  ２１ｂ  保持溝
２２  連続紙送りローラ
３０  フロントトラクタ
４０  プリンタ本体
４１  側板
４１ａ  ４１ｂ  ガイドピン
４３  ガイドバー
４４  キャリッジ
４４ａ  印字ヘッド
４５  プラテン（ローラ）
４６  ４７  紙送りモータ
４８  原動給紙ローラ
４８ｂ  従動給紙ローラ
４９  原動排紙ローラ
４９ｂ  従動排紙ローラ
５０  排紙トレイ支持プレート
５１  排紙トレイ
５２  揺動中心軸
６０  紙経路切替ユニット
６１  側板
６１ａ  ６１ｂ  保持溝
６１ｃ  ６１ｄ  ガイドピン
６３  排紙ローラ
６４  紙経路切替部材
６４ａ  切替板
６４ａ１  押圧板部
６４ａ２  逃げ孔
６４ｂ１  後端導入部
６４ｂ２  上面
６４ｄ  シート
６４ｄ１  摩擦舌片
６４ｅ  固定プレート
６４ｅ１  固定舌片
【図１】
2005074706.tif 000003
【図２】
2005074706.tif 000004
【図３】
2005074706.tif 000005
【図４】
2005074706.tif 000006
【図５】
2005074706.tif 000007
【図６】
2005074706.tif 000008